(57)【特許請求の範囲】
【請求項１】
常温揮発性薬液剤と、
薬液剤透過性で前記薬液剤が浸透している状態で第１の色を呈し、前記薬液剤が消失した状態で前記第１の色と異なる第２の色を呈する基板材と、
ガス不透過性またはガス半透過性であるとともに透明または半透明で、前記基板材の一面及び反対側の面の少なくとも一方に部分的に設けて前記薬液剤の揮散を抑制して前記薬液剤が浸透した低屈折率の状態を相対的に長引かせる模様部材と、
とを具備したことを特徴とする表示器兼用薬液剤揮散材。
【請求項２】
常温揮発性薬液剤と、
薬液剤透過性で前記薬液剤が浸透している状態で第１の色を呈し、前記薬液剤が消失した状態で前記第１の色と異なる第２の色となる基板材と、
ガス透過性またはガス半透過性であるとともに透明または半透明で、前記基板材の一面及び反対側の面の少なくとも一方に、模様部分を除いて設けて前記薬液剤の揮散を抑制して前記薬液剤が浸透した低屈折率の状態を相対的に長引かせる揮散抑制部材と、
を具備したことを特徴とする表示器兼用薬液剤揮散材。
【請求項３】
常温揮発性薬液剤と、
薬液剤透過性で前記薬液剤が浸透している状態で第１の色を呈し、前記薬液剤が消失した状態で前記第１の色と異なる第２の色を呈する基板材と、
ガス透過性またはガス半透過性であるとともに透明または半透明で、前記基板材の一面及び反対側の面の少なくとも一方に部分的に設ける模様部材と、
この模様部材よりもガス透過性が低くまたは高く、透明または半透明で、前記基板材の前記模様部材を取り付けた面における前記模様部材を取り付けなかった部分に設けて前記薬液剤の揮散を抑制して前記薬液剤が浸透した低屈折率の状態を相対的に長引かせる揮散抑制部材と、
を具備したことを特徴とする表示器兼用薬液剤揮散材。
【請求項４】
有色で第１の色呈する常温揮発性薬液剤と、
前記第１の色と異なる第２の色を呈し薬液剤透過性で前記薬液剤が浸透する基板材と、
ガス不透過性またはガス半透過性であるとともに透明または半透明で、前記基板材の一面及び反対側の面の内少なくとも一方に設けて前記薬液剤の揮散を抑制して前記薬液剤が浸透した低屈折率の状態を相対的に長引かせる模様部材と、
を具備したことを特徴とする表示器兼用薬液剤揮散材。
【発明の詳細な説明】
【０００１】
【発明の属する技術分野】
本発明は薬液剤の揮散に用いられる表示器兼用薬液剤揮散材及びこの表示器兼用薬液剤揮散材を用いた薬液剤揮散装置に係り、特に含有薬液剤の残量の表示性を向上させた表示器兼用薬液剤揮散材及びこの表示器兼用薬液剤揮散材を用いた薬液剤揮散装置に関する。
【０００２】
【従来の技術】
近年、揮散性固形防虫剤自体をそのまま定形的に固化した防虫材に代って、常温揮散性の防虫薬液剤を合成樹脂材に含有させた構成の防虫材が、その加工性及び利用性上の利点から普及してきている。
【０００３】
このような防虫薬液剤を合成樹脂材に含有させた防虫材は、揮散性固形防虫剤自体を用いたものと違って防虫薬液剤による防虫能が防虫材の大きさで確認できないため、防虫能を表示する手段を設けたものが各種開発されている。
【０００４】
その一例として、下地色を呈する油液透過性の基板材とこの基板材の一片面上に形成した油性透過性で低い屈折率の地色層とによりなる紙状材を有し、紙状材の前記地色層面にガス不透過性乃至ガス半透過性であって透明乃至半透明のカバー材を積層して紙状体となし、この紙状体の前記紙状部分に常温揮散性の油性防虫剤を含有せしめてなる防虫能表示器兼用防虫材が開発されている（特公平４−３６１２３号公報参照）。
【０００５】
このような防虫能表示器兼用防虫材では、紙状体に薬液が浸透されている状態では、その地色層が低屈折率性により透明化され、基板材の一片面の下地色がカバー材を介して確認できる状態となる。紙状体から薬液が完全に放出された場合には、地色層が不透明化し、地色層の色がカバー材を介して確認できる状態となる。このような紙状体での色調の変化は、基板材からの薬液の残量にのみ依存し、防虫薬液剤の揮散ガスの存在に依存しないため、その色調の変化点は含有防虫薬液剤の消失点と一致し、その表示機能は極めて正確になる。
【０００６】
しかしながら、このような防虫能表示器兼用防虫材では、表示は含有防虫薬液剤が残っている状態と完全消失の状態の２段階であるため、一般家庭で衣服の防虫に使用する場合、防虫能表示器兼用防虫材を新しいものと交換するのは、含有防虫薬液剤が完全消失してからとなる場合が多々あった。
【０００７】
【発明が解決しようとする課題】
このような従来の防虫能表示器兼用防虫材では、表示は含有防虫薬液剤が残っている状態と完全消失の状態の２段階であるため、一般家庭で衣服の防虫に使用する場合、防虫能表示器兼用防虫材を新しいものと交換するのは、含有防虫薬液剤が完全消失してからとなり、この間に防虫が行えない場合が多々あった。
【０００８】
そこで本発明は、含有薬液剤の残量に対して、含有薬液剤が所定量よりも多く残っている状態と所定量以下だけ残っている状態と完全消失の状態との３段階の表示が行える表示器兼用薬液剤揮散材の提供を目的とする。
【０００９】
【課題を解決するための手段】
請求項１に記載の表示器兼用薬液剤揮散材は、常温揮発性薬液剤と、薬液剤透過性で前記薬液剤が浸透している状態で第１の色を呈し、前記薬液剤が消失した状態で前記第１の色と異なる第２の色を呈する基板材と、ガス不透過性またはガス半透過性であるとともに透明または半透明で、前記基板材の一面及び反対側の面の少なくとも一方に部分的に設けて前記薬液剤の揮散を抑制して前記薬液剤が浸透した低屈折率の状態を相対的に長引かせる模様部材と、を具備したことを特徴とする。
【００１０】
請求項２に記載の表示器兼用薬液剤揮散材は、常温揮発性薬液剤と、薬液剤透過性で前記薬液剤が浸透している状態で第１の色を呈し、前記薬液剤が消失した状態で前記第１の色と異なる第２の色となる基板材と、ガス透過性またはガス半透過性であるとともに透明または半透明で、前記基板材の一面及び反対側の面の少なくとも一方に、模様部分を除いて設けて前記薬液剤の揮散を抑制して前記薬液剤が浸透した低屈折率の状態を相対的に長引かせる揮散抑制部材と、を具備したことを特徴とする。
【００１１】
請求項３に記載の表示器兼用薬液剤揮散材は、常温揮発性薬液剤と、薬液剤透過性で前記薬液剤が浸透している状態で第１の色を呈し、前記薬液剤が消失した状態で前記第１の色と異なる第２の色を呈する基板材と、ガス透過性またはガス半透過性であるとともに透明または半透明で、前記基板材の一面及び反対側の面の少なくとも一方に部分的に設ける模様部材と、この模様部材よりもガス透過性が低くまたは高く、透明または半透明で、前記基板材の前記模様部材を取り付けた面における前記模様部材を取り付けなかった部分に設けて前記薬液剤の揮散を抑制して前記薬液剤が浸透した低屈折率の状態を相対的に長引かせる揮散抑制部材と、を具備したことを特徴とする。
【００１２】
請求項４に記載の表示器兼用薬液剤揮散材は、有色で第１の色呈する常温揮発性薬液剤と、前記第１の色と異なる第２の色を呈し薬液剤透過性で前記薬液剤が浸透する基板材と、ガス不透過性またはガス半透過性であるとともに透明または半透明で、前記基板材の一面及び反対側の面の内少なくとも一方に設けて前記薬液剤の揮散を抑制して前記薬液剤が浸透した低屈折率の状態を相対的に長引かせる模様部材と、を具備したことを特徴とする。
【００１４】
【発明の実施の形態】
以下、図面を参照して説明する。
【００１５】
図１は本発明に係る表示器兼用薬液剤揮散材の第１の発明の実施の形態を示す要部の断面図である。
【００１６】
図１において、表示器兼用薬液剤揮散材１０は、基板材１１と、屈折率変化層１２と、模様部材１３とから構成されている。基板材１１は第１の色（例えば青色）を呈しており、薬液剤透過性の材料でシート状に形成されている。基板材１１の一面には、前記第１の色と異なる第２の色（例えば白色）を地色として呈し、薬液剤透過性で薬液剤が浸透している状態で相対的に低屈折率となり、薬液剤が消失した状態で相対的に高屈折率となる屈折率変化層１２が形成されている。模様部材１３は、ガス不透過性またはガス半透過で透明または半透明の材料で層状に形成され、屈折率変化層１２の基板材１１側とは反対側の面に部分的に取付けられることにより設けられている。
【００１７】
基板材１１及び屈折率変化層１２には、無色透明の薬液剤が浸透されている。これにより基板材１１と屈折率変化層１２とは、薬液剤透過性で薬液剤が浸透している状態で第１の色となり、前記薬液剤が消失した状態で前記第１の色と異なる第２の色となるシート材を構成している。
【００１８】
このような第１の発明の実施の形態によれば、含有薬液剤が所定量よりも多く残っている状態では、屈折率変化層１２の全面が相対的に低屈折率となり透明となり、基板材１１の第１の色が屈折率変化層１２が形成された面の全体で確認できる。
【００１９】
屈折率変化層１２の模様部材１３が取付けられた部分は、模様部材１３に対応する部分に対して薬液剤が揮散しにくくなるので、含有薬液剤が所定量以下だけ残っている場合には、屈折率変化層１２の模様部材１３に対応する部分だけ低屈折率となり透明となり、基板材１１の第１の色が屈折率変化層１２の模様部材１３に対応する部分だけ確認でき、残りの屈折率変化層１２の部分は高折率となり不透明となり地色である第２の色が確認できる。
【００２０】
含有薬液剤が完全消失の状態では、屈折率変化層１２の全面が相対的に高屈折率となり不透明となり地色である第２の色が確認される。
【００２１】
図２は図１の表示器兼用薬液剤揮散材を用いた薬液剤揮散装置の第１の例を示す斜視図である。
【００２２】
図２において、薬液剤揮散装置２０は、筐体２１の内部に表示器兼用薬液剤揮散材１０を収納した構造になっている。
【００２３】
筐体２１には、前記模様部材１３が確認できるとともに前記屈折率変化層１２の模様部材１３が取り付けられていない部分の少なくとも一部が確認できる窓部２２が形成されている。この窓部２２は、貫通部となっており、ここから表示器兼用薬液剤揮散材１０の薬液剤が揮散したものが放出するようになっている。
【００２４】
筐体２１の上側にはフック２３が形成されている。
【００２５】
図３は図２の表示器兼用薬液剤揮散材１０の全体を示す平面図である。
【００２６】
図３において、表示器兼用薬液剤揮散材１０の模様部材１３は、屈折率変化層１２の表側に“そろそろ”の文字を形成している。
【００２７】
このような薬液剤揮散装置２０の使用方法を薬液剤としてたんす用防虫剤を用いた場合を例にして説明する。
【００２８】
まず新品の薬液剤揮散装置２０を服とともタンスに収納する。この状態では、含有薬液剤が所定量よりも多く残っている状態となり、上述したように、基板材１１の第１の色が屈折率変化層１２が形成された面の全体で確認でき、模様部材１３による“そろそろ”の文字は、ほとんど見えない状態となる。即ち、窓部２２からは第１の色のみが確認できる状態となる。この状態で所定期間、基板材１１及び屈折率変化層１２に浸透された無色透明の薬液剤は、除々に揮散して放出され、服に対して防虫効果を発揮することになる。ここで、屈折率変化層１２の模様部材１３が取付けられた部分は、他の部分に対して薬液剤が揮散しにくくなる。
【００２９】
この後、含有薬液剤が所定量以下だけ残っている状態になると、基板材１１の第１の色が屈折率変化層１２の模様部材１３に対応する部分だけ確認でき、残りの屈折率変化層１２の部分は第２の色が確認できる状態となる。このため模様部材１３による“そろそろ”の文字は、はっきり見える状態となる。このような文字が、はっきり見える状態となると、薬液剤揮散装置２０を新品と交換するか、または、新品の薬液剤揮散装置２０を追加してタンスに収納する。
【００３０】
新品の薬液剤揮散装置２０を追加してタンスに収納した場合において、旧い方の薬液剤揮散装置２０の含有薬液剤が完全消失の状態では、屈折率変化層１２の全面が相対的に高屈折率となり不透明となり地色である第２の色が確認され、模様部材１３による“そろそろ”の文字は、ほとんど見えない状態となる。即ち、窓部２２からは第２の色のみが確認できる状態となる。このような状態の薬液剤揮散装置２０は、防虫効果が全く無いので破棄する。
【００３１】
このような薬液剤揮散装置によれば、含有薬液剤が所定量よりも多く残っている状態と所定量以下だけ残っている状態と完全消失の状態との３段階の表示が行えるので、薬液剤の完全消失する前に新品との交換や新品の追加が可能であり、薬液剤の効果が失われる期間を無くすことができる。
【００３２】
図４は本発明に係る表示器兼用薬液剤揮散材の第２の発明の実施の形態を示す要部の断面図であり、図１の発明の実施の形態と同じ構成要素には同じ符号を付して説明を省略する。
【００３３】
図４において、表示器兼用薬液剤揮散材３０は、図１の場合と同様の基板材１１及び屈折率変化層１２と、図１の場合と異なる模様部材３３とから構成されている。
【００３４】
模様部材３３は、ガス不透過性またはガス半透過であるとともに透明または半透明の材料で形成されており、屈折率変化層１２の基板材１１側とは反対側の面に部分的に取付けらている。また、模様部材３３は、屈折率変化層１２側に凹部３４が形成されるとともに、屈折率変化層１２との間の一部に隙間３５が形成されている。
【００３５】
図５は図４の表示器兼用薬液剤揮散材３０の薬液剤の揮散を示す説明図である。
【００３６】
図５において、この状態で所定期間、模様部材３３が取付けられた部分の基板材１１及び屈折率変化層１２から揮散した薬液剤３６は、模様部材３３の一端凹部３４に溜まり、隙間３５から外に放出することになる。
【００３７】
このような発明の実施の形態によれば、図１の実施例と同様の効果があるとともに、模様部材３３による模様の大きさを変えることなく、凹部３４や隙間３５の大きさを調整することにより、模様部材３３が取付けられた部分の基板材１１及び屈折率変化層１２から揮散する薬液剤の揮散速度を調整することが可能であり、含有薬液剤が所定量以下だけ残っている状態から含有薬液剤が完全消失するまでの時間を調整することができる。
【００３８】
図６は本発明に係る表示器兼用薬液剤揮散材の第３の発明の実施の形態を示す要部の断面図であり、図１の発明の実施の形態と同じ構成要素には同じ符号を付して説明を省略する。
【００３９】
図６において、表示器兼用薬液剤揮散材４０は、図１に示した前記屈折率変化層１２及び模様部材１３を前記基板材１１の一面及び反対側の面の両方に形成している。
【００４０】
このような発明の実施の形態によれば、図１の発明の実施の形態と同様の効果があるとともに、表示器兼用薬液剤揮散材４０の両面で含有薬液剤の３段階の表示が行える。
【００４１】
尚、図６の発明の実施の形態では、図１に示した前記屈折率変化層１２及び模様部材１３を前記基板材１１の一面及び反対側の面の両方に形成したが、図４に示した前記屈折率変化層１２及び模様部材３３を前記基板材１１の一面及び反対側の面の両方に形成するように構成してもよい。
【００４２】
図７は本発明に係る表示器兼用薬液剤揮散材の第４の発明の実施の形態を示す要部の断面図であり、図１の発明の実施の形態と同じ構成要素には同じ符号を付して説明を省略する。
【００４３】
図７において、表示器兼用薬液剤揮散材５０は、図１に示した前記屈折率変化層１２及び模様部材１３を前記基板材１１の一面のみに形成し、前記基板材１１の反対側の面にガス不透過性またはガス半透過性のカバー層５１を形成している。
【００４４】
このような実施例によれば図１の実施例と同様の効果があるとともに、基板材１１から揮散する薬液剤の揮散速度を低下させることができる。
【００４５】
尚、図７の発明の実施の形態では、図１に示した前記屈折率変化層１２及び模様部材１３を前記基板材１１の一面に形成したが、図４に示した前記屈折率変化層１２及び模様部材３３を前記基板材１１の一面に形成するように構成してもよい。
【００４６】
図８は図１の表示器兼用薬液剤揮散材を用いた薬液剤揮散装置の第２の例を示す斜視図である。
【００４７】
図８において、薬液剤揮散装置６０は、枠状部材６１に表示器兼用薬液剤揮散材１０を取付けた構造になっている。
【００４８】
枠状部材６１は、枠状に形成され、この枠の内側に表示器兼用薬液剤揮散材１０の外周を取付けている。
【００４９】
このような薬液剤揮散装置の第２の例によれば、図２の例と同様の効果があるとともに、薬液剤揮散装置の薄型化が可能となる。
【００５０】
尚、図２及び図８に示した薬液剤揮散装置には、図１に示した表示器兼用薬液剤揮散材の代わりに図４乃至図７に示した表示器兼用薬液剤揮散材を用いることも可能である。
【００５１】
図９は図１乃至図８に示した表示器兼用薬液剤揮散材における模様部材のパターンの他の例を示す平面図である。
【００５２】
図９において、表示器兼用薬液剤揮散材７０の模様部材７３は、屈折率変化層７２の表側に“☆”と“○”の模様を形成している。
【００５３】
このように、図１乃至図８に示した表示器兼用薬液剤揮散材における模様部材のパターンは、文字、記号、絵等各種用いることが可能である。
【００５４】
図１０は本発明に係る表示器兼用薬液剤揮散材の第５の発明の実施の形態を示す要部の断面図であり、図１の発明の実施の形態と同じ構成要素には同じ符号を付して説明を省略する。
【００５５】
表示器兼用薬液剤揮散材８０は、図１の場合と同様のシート材を構成する基板材１１及び屈折率変化層１２と、図１の場合と異なる揮散抑制部材８４とから構成されている。
【００５６】
揮散抑制部材８４は、ガス不透過性またはガス半透過性であるとともに透明または半透明で、屈折率変化層１２の基板材１１側とは反対側の面に取付けられ、前記シート材に設定した模様部分に相対する部分にガス透過部であるころの削除部８３を形成している。
【００５７】
このような発明の実施の形態によれば、含有薬液剤が所定量よりも多く残っている状態では、基板材１１の第１の色が屈折率変化層１２が形成された面の全体で確認でき、含有薬液剤が所定量以下だけ残っている場合には、第１の色が屈折率変化層１２の揮散抑制部材８４に対応する部分で確認でき、削除部８３では薬液剤が消失して第２の色が確認され、含有薬液剤が完全消失の状態では、屈折率変化層１２の全面で薬液剤が消失して第２の色が確認される。
【００５８】
図１１は本発明に係る表示器兼用薬液剤揮散材の第６の発明の実施の形態を示す要部の断面図であり、図１０の発明の実施の形態と同じ構成要素には同じ符号を付して説明を省略する。
【００５９】
表示器兼用薬液剤揮散材８５は、図１０の場合と同様の基板材１１，屈折率変化層１２及び揮散抑制部材８４と、図１の場合と異なる模様部材８６とから構成されている。
【００６０】
模様部材８６は、ガス透過性またはガス半透過性であるとともに透明または半透明の材料で形成されており、屈折率変化層１２の基板材１１側とは反対側の面に部分的に取付けらている。
【００６１】
揮散抑制部材８７は、この模様部材８６よりもガス透過性が低く、透明または半透明で、前記屈折率変化層１２の前記模様部材８６を取付けた面における前記模様部材８６を取付なかった部分に取付けられている。
【００６２】
このような発明の実施の形態によれば、含有薬液剤が所定量よりも多く残っている状態では、基板材１１の第１の色が屈折率変化層１２が形成された面の全体で確認でき、含有薬液剤が所定量以下だけ残っている場合には、第１の色が屈折率変化層１２の揮散抑制部材８７に対応する部分で確認でき、模様部材８６の部分は薬液剤が消失して第２の色が確認され、含有薬液剤が完全消失の状態では、屈折率変化層１２の全面で薬液剤が消失して第２の色が確認される。
【００６３】
これにより、図１０の発明の実施の形態と同様の効果がえられる。
【００６４】
図１２は図１０及び図１１に示した表示器兼用薬液剤揮散材におけるパターンの例を示す平面図である。
【００６５】
図１２において、表示器兼用薬液剤揮散材８０（図１１の場合８５）の削除部８３（模様部材８６）は、屈折率変化層１２の表側に“そろそろ”の文字を太めの線で形成するとともに、“そろそろ”の文字を囲んだ外周に枠状のパターンを形成している。削除部８３（模様部材８６）を形成しなかった部分には揮散抑制部材８４（８７）が形成されている。このように形成することにより、削除部８３（模様部材８６）と揮散抑制部材８４（８７）の割合を含有薬液剤が実用上適切な所定量以下だけ残っている状態を表示するのに適切な値にすることができる。
【００６６】
尚、図１０及び図１１の発明の実施の形態では、前記屈折率変化層１２及び揮散抑制部材８４，８７を前記基板材１１の一面に形成したが、一面及び反対側の面の内少なくとも一方に形成すればよい。揮散抑制部材８４，８７としては、図４に示した模様部材３３と同様の凹部と隙間を形成したものを用いてもよい。図１０に示した削除部８３（図１１に示した模様部材８６）のパターンは、文字、記号、絵等各種用いることが可能である。
【００６７】
図１３は本発明に係る表示器兼用薬液剤揮散材の第７の発明の実施の形態を示す要部の断面図である。
【００６８】
図１３において、表示器兼用薬液剤揮散材９０は、有色で第１の色（例えば青）を呈する薬液剤と、第２の色を呈し薬液剤透過性で前記薬液剤が浸透する基板材９１と、ガス不透過性またはガス半透過性であるとともに透明または半透明で、この基板材９１の一面及び反対側の面の内少なくとも一方に部分的に設ける模様部材９２とから構成される。
【００６９】
基板材９１は、薬液剤透過性で薬液剤が浸透している状態で第１の色となり、前記薬液剤が消失した状態で前記第１の色と異なる第２の色となるシート材を構成している。
【００７０】
尚、模様部材９２としては、図４に示した模様部材３３と同様の凹部と隙間を形成したものを用いてもよい。
【００７１】
このような表示器兼用薬液剤揮散材９０において、含有薬液剤が所定量よりも多く残っている状態では、薬液剤の第１の色が基板材９１の全体で確認でき、含有薬液剤が所定量以下だけ残っている場合には、薬液剤の第１の色が基板材の模様部材に対応する部分だけ確認でき、残りの基板材９１の部分は薬液剤が消失して第２の色が確認され、含有薬液剤が完全消失の状態では、基板材９１の全面で薬液剤が消失して第２の色が確認される。
【００７２】
このような薬液剤揮散装置９０によれば、含有薬液剤が所定量よりも多く残っている状態と所定量以下だけ残っている状態と完全消失の状態との３段階の表示が行えるので、薬液剤の完全消失する前に新品との交換や新品の追加が可能であり、薬液剤の効果が失われる期間を無くすことができる。
【００７３】
図１乃至図１１に示した表示器兼用薬液剤揮散材において、基板材としては、前記した機能に対応して、紙、板紙、合成繊維混抄紙、不織布あるいはフェルト状織物等を用いることができる。屈折率変化層としては、例えば白色系着色料について無定型シリカ、カリオン、炭酸カルシュームまたはバルブ粉末等を適用でき、このような屈折率変化層を基板材に定着させるための結合剤の混合比重を適切に設定するとこにより、薬液剤の透過性を設定できる。この結合剤としては、酢酸ビニル等を用いることができる。
【００７４】
図１乃至図９に示した表示器兼用薬液剤揮散材において、模様部材としては、ポリエステル等のガス不透過性の材料やポリエチレン等のガス半透過性の材料を用いることができる。
【００７５】
図１０及び図１１に示した表示器兼用薬液剤揮散材において、揮散抑制部材としては、ポリエステル等のガス不透過性の材料やポリエチレン等のガス半透過性の材料を用いることができ、図１１に示した模様部材としては、透明の繊維を使った不織布等のガス透過性の材料を用いることができる。
【００７６】
また、図１乃至図１１に示した表示器兼用薬液剤において、基板材の第１の色と、屈折率変化層の第２の色の組合わせは、「青と白」，「白と黒」、「黒と黄」、「赤と青」等の色相差が大きい組合わせを用いるのが望ましい。図１３に示した表示器兼用薬液剤において、薬液剤の第１の色と、基板材の第２の色の組合わせは、色相差が大きい組合わせを用いるのが望ましい。
【００７７】
さらに、図１乃至図１３に示した表示器兼用薬液剤揮散材に用いられるたんす用防虫剤以外の薬液剤としては、たんす用防虫剤以外の防虫剤、消臭剤、防かび剤、芳香剤等各種を用いることができる。
【００７８】
【発明の効果】
以上説明したように本発明によれば、含有薬液剤が所定量よりも多く残っている状態と所定量以下だけ残っている状態と完全消失の状態との３段階の表示が行えるので、薬液剤の完全消失する前に新品との交換や新品の追加が可能であり、薬液剤の効果が失われる期間を無くすことができる。
【図面の簡単な説明】
【図１】本発明に係る表示器兼用薬液剤揮散材の第１の発明の実施の形態を示す断面図。
【図２】図１の表示器兼用薬液剤揮散材を用いた薬液剤揮散装置の第１の例を示す斜視図。
【図３】図２の表示器兼用薬液剤揮散材の全体を示す平面図。
【図４】本発明に係る表示器兼用薬液剤揮散材の第２の発明の実施の形態を示す断面図。
【図５】図４の表示器兼用薬液剤揮散材の薬液剤の揮散を示す説明図。
【図６】本発明に係る表示器兼用薬液剤揮散材の第３の発明の実施の形態を示す断面図。
【図７】本発明に係る表示器兼用薬液剤揮散材の第４の発明の実施の形態を示す要部の断面図。
【図８】図１の表示器兼用薬液剤揮散材を用いた薬液剤揮散装置の第２の例を示す斜視図。
【図９】図１乃至図８に示した表示器兼用薬液剤揮散材における模様部材のパターンの他の例を示す平面図。
【図１０】本発明に係る表示器兼用薬液剤揮散材の第５の発明の実施の形態を示す要部の断面図。
【図１１】本発明に係る表示器兼用薬液剤揮散材の第６の発明の実施の形態を示す要部の断面図。
【図１２】図１０及び図１１に示した表示器兼用薬液剤揮散材におけるパターンの例を示す平面図。
【図１３】本発明に係る表示器兼用薬液剤揮散材の第７の発明の実施の形態を示す要部の断面図。
【符号の説明】
１０    表示器兼用薬液剤揮散材
１１    基板材
１２    屈折率変化層
１３    模様部材
【図１】
0003773568.tif 000002
【図２】
0003773568.tif 000003
【図３】
0003773568.tif 000004
【図４】
0003773568.tif 000005
【図５】
0003773568.tif 000006
【図６】
0003773568.tif 000007
【図７】
0003773568.tif 000008
【図８】
0003773568.tif 000009
【図９】
0003773568.tif 000010
【図１０】
0003773568.tif 000011
【図１１】
0003773568.tif 000012
【図１２】
0003773568.tif 000013
【図１３】
0003773568.tif 000014